(57)【要約】【課題】複数の再生装置を設置した位置に適するように音量を調節する技術を提供する。【解決手段】第１取得部３８は、複数の再生装置を設置すべきエリアの地図情報上における位置情報であって、かつ各再生装置が設置される位置についての位置情報を取得する。第１導出部４０は、取得した位置情報をもとに、再生装置の密集度を再生装置単位に導出する。第２取得部４２は、各再生装置において再生すべきコンテンツデータのカテゴリに関する情報を取得する。第２導出部４８は、取得したカテゴリに関する情報と、導出した密集度とをもとに、各再生装置がコンテンツデータを再生する際の音量を導出する。通信部５４は、導出した音量によるコンテンツデータの再生を各再生装置へ指示する。【選択図】図２
2011253235.tif 000002
【特許請求の範囲】
【請求項１】
複数の再生装置を設置すべきエリアの地図情報上における位置情報であって、かつ各再生装置が設置される位置についての位置情報を取得する第１取得部と、
前記第１取得部において取得した位置情報をもとに、再生装置の密集度を再生装置単位に導出する第１導出部と、
各再生装置において再生すべきコンテンツデータのカテゴリに関する情報を取得する第２取得部と、
前記第２取得部において取得したカテゴリに関する情報と、前記第１導出部において導出した密集度とをもとに、各再生装置がコンテンツデータを再生する際の音量を導出する第２導出部と、
前記第２導出部において導出した音量によるコンテンツデータの再生を各再生装置へ指示する指示部と、
を備えることを特徴とするサーバ装置。
【請求項２】
各再生装置がコンテンツデータを表示させるためのモニタのタイプに関する情報を取得する第３取得部をさらに備え、
前記第２導出部は、前記第３取得部において取得したモニタのタイプに関する情報も反映させて、各再生装置がコンテンツデータを再生する際の音量を導出することを特徴とする請求項１に記載のサーバ装置。
【請求項３】
前記第２導出部は、近接したふたつの再生装置において、同一のコンテンツデータが再生される場合、一方の再生装置に対する音量をオフにすることを決定することを特徴とする請求項１または２に記載のサーバ装置。
【請求項４】
再生装置において再生すべきコンテンツデータのカテゴリに関する情報を取得する取得部と、
前記取得部において取得したカテゴリに関する情報をもとに、再生装置がコンテンツデータを再生する際の音量を導出する導出部と、
前記導出部において導出した音量によるコンテンツデータの再生を再生装置へ指示する指示部と、
を備えることを特徴とするサーバ装置。
【発明の詳細な説明】
【技術分野】
【０００１】
本発明は、通信技術に関し、特に再生装置と通信するサーバ装置に関する。
【背景技術】
【０００２】
自動販売機に広告機能を搭載した装置は、消費者が自動販売機に表示されるメニュー画面を操作することによって、広告画像を表示するとともに、音声を出力する。また、別の広告装置は、人の接近に応じて出力内容を変化させる。しかしながら、コンテンツの再生時間帯、日付等によって個別に設定された音量、音質レベルや、人の混雑度、装置設置場所の周囲の騒音レベル等の不規則に変化する環境の変化に対応したきめ細かな音声制御は困難である。これに対応するために、広告装置を設置した場所付近の人の存在をセンサにて監視し、センサ検出時の制御パラメータに応じて、音声の音量、音質が一時的に自動調節される（例えば、特許文献１参照）。
【先行技術文献】
【特許文献】
【０００３】
【特許文献１】特開２００６−５３４３２号公報
【発明の概要】
【発明が解決しようとする課題】
【０００４】
デジタル技術を利用した広告媒体のひとつが、デジタルサイネージ（Ｄｉｇｉｔａｌ  Ｓｉｇｎａｇｅ）である。デジタルサイネージでは、表示と通信にデジタル技術を活用して平面ディスプレイなどによって映像や情報を表示する。また、デジタルサイネージでは、デジタル通信によって受信した多数の表示情報を内蔵記憶装置に記憶するので、柔軟な表示内容の切替が可能になり、多様な映像広告が展開される。広告データによる広告効果を向上させるために、店舗等に複数の再生装置を配置し、複数の再生装置のそれぞれにさまざまな広告データを表示させることが有効である。棚に陳列された商品のカテゴリに応じて広告データの内容を変更すると、広告効果がさらに向上する。
【０００５】
例えば、肉類が陳列された棚に設置された再生装置では、肉類に関する広告や肉類を使用した料理の広告が表示される。複数の再生装置が近接して配置される場合、ひとつ再生装置から出力される音声が別の再生装置のそばでも聞こえてしまう。そのため、複数の再生装置のそれぞれから出力される音声が同時に聞こえてしまう状況が生じることもある。再生装置単体から出力される音声の音量が調節されても、複数の再生装置が近接して配置されると、音声は聞きづらくなってしまう。この場合であっても、聞きやすい音声の出力が望まれる。
【０００６】
本発明はこうした状況に鑑みてなされたものであり、その目的は、複数の再生装置を設置した位置に適するように音量を調節する技術を提供することにある。
【課題を解決するための手段】
【０００７】
上記課題を解決するために、本発明のある態様のサーバ装置は、複数の再生装置を設置すべきエリアの地図情報上における位置情報であって、かつ各再生装置が設置される位置についての位置情報を取得する第１取得部と、第１取得部において取得した位置情報をもとに、再生装置の密集度を再生装置単位に導出する第１導出部と、各再生装置において再生すべきコンテンツデータのカテゴリに関する情報を取得する第２取得部と、第２取得部において取得したカテゴリに関する情報と、第１導出部において導出した密集度とをもとに、各再生装置がコンテンツデータを再生する際の音量を導出する第２導出部と、第２導出部において導出した音量によるコンテンツデータの再生を各再生装置へ指示する指示部と、を備える。
【０００８】
本発明の別の態様もまた、サーバ装置である。この装置は、再生装置において再生すべきコンテンツデータのカテゴリに関する情報を取得する取得部と、取得部において取得したカテゴリに関する情報をもとに、再生装置がコンテンツデータを再生する際の音量を導出する導出部と、導出部において導出した音量によるコンテンツデータの再生を再生装置へ指示する指示部と、を備える。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、複数の再生装置を設置した位置に適するように音量を調節できる。
【図面の簡単な説明】
【００１１】
【図１】本発明の実施例に係る再生システムの構成を示す図である。
【図２】図１のサーバ装置の構成を示す図である。
【図３】図２の記憶部に記憶されたテーブルのデータ構造を示す図である。
【図４】図２の記憶部に記憶された別のテーブルのデータ構造を示す図である。
【図５】図２の記憶部に記憶されたさらに別のテーブルのデータ構造を示す図である。
【図６】図２の記憶部に記憶されたさらに別のテーブルのデータ構造を示す図である。
【図７】図２の記憶部に記憶されたさらに別のテーブルのデータ構造を示す図である。
【図８】図１の再生装置の構成を示す図である。
【発明を実施するための形態】
【００１２】
本発明を具体的に説明する前に、概要を述べる。本発明の実施例は、店舗等に設置されたサーバ装置と複数の再生装置によって形成される再生システムに関する。各再生装置は、無線ＬＡＮを介してサーバ装置に接続される。また、各再生装置は、さまざまな売場や入口付近等に設置され、売場に陳列された商品のカテゴリと関連したコンテンツデータを再生する。なお、コンテンツデータは、サーバ装置からダウンロードされる。同一の売場に複数の再生装置が配置される場合、それらから出力される音声が同時に聞こえてしまうと、互いに干渉が発生し、各音声が聞きづらくなってしまう。これに対応するために、本実施例に係る再生システムは、次の処理を実行する。
【００１３】
サーバ装置は、店舗における売場等のレイアウトが示された地図情報（以下、単に「地図データ」という）を記憶する。サーバ装置は、地図データを画面に表示し、サーバ装置を操作している店員が、地図データ上において再生装置を設置した場所を選択する。サーバ装置は、地図データ上における再生装置の位置をもとに、再生装置が密集している程度（以下、「密集度」という）を再生装置ごとに導出する。さらに、店員は、各再生装置において再生すべきコンテンツデータのカテゴリをサーバ装置に入力する。サーバ装置は、コンテンツデータのカテゴリと密集度とをもとに、各再生装置での音量を導出する。サーバ装置は、導出した音量によるコンテンツデータの再生を各再生装置に指示する。
【００１４】
図１は、本発明の実施例に係る再生システム１００の構成を示す。再生システム１００は、再生装置１０と総称される第１再生装置１０ａ、第２再生装置１０ｂ、第３再生装置１０ｃ、サーバ装置１４を含む。また、再生システム１００は、店舗１８に備えられ、店舗１８には、棚１６と総称される第１棚１６ａ、第２棚１６ｂ、第３棚１６ｃ、第４棚１６ｄ、第５棚１６ｅ、第６棚１６ｆ、第７棚１６ｇ、第８棚１６ｈ、第９棚１６ｉ、第１０棚１６ｊ、第１１棚１６ｋ、第１２棚１６ｌを含む。
【００１５】
店舗１８は、例えば、スーパーマーケットである。サーバ装置１４は、複数のコンテンツデータを記憶する。また、サーバ装置１４は、無線通信機能を有し、記憶した複数のコンテンツデータを複数の再生装置１０へ配信する。なお、サーバ装置１４は、再生装置１０へコンテンツデータをストリーミング配信しているのではなく、複数のコンテンツデータを再生装置１０にダウンロードさせる。また、サーバ装置１４は、複数のコンテンツデータを再生すべき順番が示されたリストを生成し、各再生装置１０にリストも送信する。リストは、再生装置１０単位に異なっていてもよい。
【００１６】
各棚１６には、総菜、精肉、鮮魚、野菜等が配置されている。棚１６には、再生装置１０が設置されている。再生装置１０は、無線通信機能を有してサーバ装置１４とも通信可能であるとともに、所定のコンテンツデータおよびリストを記憶する。ここで、記憶したコンテンツデータおよびリストは、前述のごとく、サーバ装置１４からダウンロードされている。一般的に、コンテンツデータの内容は、再生装置１０が配置された棚１６に陳列された商品のカテゴリに関連する。再生装置１０は、リストに示された順序にしたがってコンテンツデータを再生し、再生したコンテンツデータの画像を表示するとともに、再生したコンテンツデータの音声を出力する。なお、再生装置１０は、棚１６だけではなく、店舗１８の正面入口付近等の任意の場所に配置されてもよい。
【００１７】
複数の再生装置１０が近くに配置される場合、それらから出力される音声が互いに干渉するおそれがある。干渉が発生すると、それらの音声が聞きづらくなってしまう。これに対応するために、サーバ装置１４は、店舗１８の地図情報を記憶するとともに、地図情報上における各再生装置１０の配置場所を管理する。サーバ装置１４は、管理した配置場所をもとに密集度を導出するとともに、再生すべきコンテンツデータのカテゴリ等を考慮して、各再生装置１０が音声を出力する際の音量を導出する。サーバ装置１４は、各再生装置１０に対して、導出した音量での再生を指示する。
【００１８】
図２は、サーバ装置１４の構成を示す。サーバ装置１４は、表示部３０、受付部３２、処理部３４、記憶部３６、第１取得部３８、第１導出部４０、第２取得部４２、第３取得部４４、第４取得部４６、第２導出部４８、コンテンツ生成部５０、リスト生成部５２、通信部５４、アンテナ５６、制御部５８を含む。
【００１９】
記憶部３６は、複数のコンテンツデータを記憶する。記憶部３６は、ハードディスク等の記憶媒体である。記憶部３６に記憶された各コンテンツデータは、例えば、棚１６に配置された品物を広告するための動画像であったり、ＢＧＭであったりする。また、コンテンツデータは、ＭＰＥＧ（Ｍｏｖｉｎｇ  Ｐｉｃｔｕｒｅ  Ｅｘｐｅｒｔｓ  Ｇｒｏｕｐ）等によって圧縮されている。ここでは、動画像そのもの、動画像のデジタルデータを区別せずに、コンテンツデータと呼ぶ。また、記憶部３６は、図１の店舗１８の地図情報、棚１６の設置位置に関する情報（以下、これらをまとめて「地図データ」という）も記憶する。ここで、店舗１８の地図情報は、図１のごとく、複数の棚１６が配置されることによって形成されている。なお、地図データもデジタルデータとして生成されている。地図データでは、座標が規定されている。
【００２０】
コンテンツ生成部５０は、図１に示された再生装置１０において再生すべきコンテンツデータを記憶部３６から抽出する。なお、ひとつの再生装置１０に再生するために複数のコンテンツデータを抽出してもよい。コンテンツ生成部５０は、抽出したコンテンツデータを通信部５４へ出力する。なお、コンテンツ生成部５０は、異なったコンテンツデータを再生装置１０単位に出力してもよいし、共通のコンテンツデータを複数の再生装置１０に対して出力してもよい。リスト生成部５２は、コンテンツデータを再生装置１０に再生させる順序が示されたリストを生成する。リストは、再生装置１０単位に生成される。リスト生成部５２は、リストを通信部５４へ出力する。なお、コンテンツ生成部５０にコンテンツデータを抽出させるための指示、リスト生成部５２にリストを生成させるための指示は、後述の受付部３２を介して、店員から受けつけるものとする。
【００２１】
処理部３４は、記憶部３６から地図データを抽出する。処理部３４は、表示部３０へ地図データを出力する。表示部３０は、ディスプレイであり、処理部３４から受けつけた地図データを表示する。表示された地図データは、図１のように示される。受付部３２は、ボタン、キーボード、マウス等のインターフェイスを備え、店員等からの指示を受けつける。指示は、（１）地図データ上において再生装置１０を配置すべき位置、（２）再生装置１０において再生すべきコンテンツデータ、（３）再生装置１０に備えられたディスプレイのサイズに加えて、（４）リストにて示すべきコンテンツデータの順序である。このような指示は、再生装置１０単位に受けつければよい。受付部３２は、（４）リストにて示すべきコンテンツデータの順序に関する指示を受けつけると、処理部３４を介してリスト生成部５２へ当該指示を出力する。
【００２２】
第１取得部３８は、処理部３４を介して、（１）地図データ上において再生装置１０を配置すべき位置情報を受けつける。第１取得部３８は、複数の再生装置１０のそれぞれに対する位置情報を受けつける。このような位置情報は、店舗１８の地図情報上における位置情報であって、かつ各再生装置１０が設置される位置についての位置情報であり、座標によって示される。第１取得部３８は、各再生装置１０に対する位置情報を第１導出部４０へ出力する。
【００２３】
第１導出部４０は、第１取得部３８から、各再生装置１０に対する位置情報を受けつける。第１導出部４０は、位置情報をもとに、再生装置１０の密集度を再生装置１０単位に導出する。ここでは、密集度の導出方法を説明する。第１導出部４０は、ひとつの再生装置１０の位置情報を抽出し、位置情報にて示された座標を中心として、一定の半径の円を想定する。第１導出部４０は、想定した円の中に、他の再生装置１０の位置情報にて示された座標が含まれるかを確認する。第１導出部４０は、円に含まれる他の再生装置１０の数を計数し、他の再生装置１０の数に１を加えることによって、抽出した位置座標の再生装置１０を導出する。１を加えることは、一定の半径の円を想定させた再生装置１０を考慮することに相当する。そのため、円に含まれる他の再生装置１０の数が０である場合、密集度は１になり、円に含まれる他の再生装置１０の数が１である場合、密集度は２になる。第１導出部４０は、複数の再生装置１０のそれぞれに対して、上記の処理を実行する。第１導出部４０は、各再生装置１０に対する密集度を第２導出部４８へ出力する。
【００２４】
第２取得部４２は、処理部３４を介して、（２）再生装置１０において再生すべきコンテンツデータの情報を受けつける。ここで、第２取得部４２は、コンテンツデータの情報とともに、コンテンツデータのカテゴリに関する情報も受けつける。このようなコンテンツデータのカテゴリに関する情報は、受付部３２において、コンテンツデータの情報ともに受けつけているものとする。第２取得部４２は、コンテンツデータのカテゴリに関する情報を再生装置１０単位に取得しているものとする。コンテンツデータのカテゴリとして、「ＢＧＭ（音楽）」、「ＢＧＭ（効果音）」、「ＢＧＭ（音声）」、「動画（メーカＣＭ）」、「動画（特別ＰＲ）」、「動画（案内）」が規定されている。第２取得部４２は、これらのうちのいずれかのカテゴリを取得する。第２取得部４２は、コンテンツデータのカテゴリに関する情報を第２導出部４８へ出力する。
【００２５】
第３取得部４４は、処理部３４を介して、（３）再生装置１０に備えられたディスプレイのサイズに関する情報を受けつける。ここでは、説明を簡潔にするために、ディスプレイのサイズとして、４２インチ、１５インチ、７インチを想定する。第３取得部４４は、ディスプレイのサイズに関する情報を第２導出部４８へ出力する。第４取得部４６は、処理部３４を介して、再生装置１０が設置される売場に関する情報を受けつける。以下では、売場に関する情報を配置カテゴリとする。配置カテゴリは、正面入口、果物、鮮魚のように示される。配置カテゴリは、受付部３２が店員から受けつければよい。また、第４取得部４６は、第１取得部３８と同様に、各再生装置１０に対する位置情報を受けつけてもよい。その際、第４取得部４６は、座標と売場との対応関係を予め記憶しており、当該対応関係をもとに、位置情報から配置カテゴリを導出する。第４取得部４６は、配置カテゴリに関する情報を第２導出部４８へ出力する。
【００２６】
第２導出部４８は、第１導出部４０から密集度を受けつけ、第２取得部４２からコンテンツデータのカテゴリに関する情報を受けつけ、第３取得部４４からディスプレイのサイズに関する情報を受けつけ、第４取得部４６から配置カテゴリに関する情報を受けつける。これらの情報は、再生装置１０単位に受けつける。第２導出部４８は、密集度、コンテンツデータのカテゴリに関する情報、ディスプレイのサイズに関する情報、配置カテゴリに関する情報とをもとに、各再生装置１０がコンテンツデータを再生する際の音量を導出する。この処理を具体的に説明する。
【００２７】
第２導出部４８は、記憶部３６に記憶されたテーブルを参照して、密集度から補正値を導出する。図３は、記憶部３６に記憶されたテーブルのデータ構造を示す。図示のごとく、密集度欄２００、補正値欄２０２が含まれている。第２導出部４８は、密集度欄２００の密集度に対応した補正値を補正値欄２０２から抽出する。図２に戻る。第２導出部４８は、記憶部３６に記憶されたテーブルを参照して、コンテンツデータのカテゴリから補正値を導出する。図４は、記憶部３６に記憶された別のテーブルのデータ構造を示す。図示のごとく、コンテンツカテゴリ欄２１０、補正値欄２１２が含まれている。第２導出部４８は、コンテンツカテゴリ欄２１０のカテゴリに対応した補正値を補正値欄２１２から抽出する。図２に戻る。
【００２８】
第２導出部４８は、記憶部３６に記憶されたテーブルを参照して、ディスプレイのサイズから補正値を導出する。図５は、記憶部３６に記憶されたさらに別のテーブルのデータ構造を示す。図示のごとく、モニタ欄２２０、補正値欄２２２が含まれている。第２導出部４８は、モニタ欄２２０のディスプレイサイズに対応した補正値を補正値欄２２２から抽出する。図２に戻る。第２導出部４８は、記憶部３６に記憶されたテーブルを参照して、配置カテゴリから補正値を導出する。図６は、記憶部３６に記憶されたさらに別のテーブルのデータ構造を示す。図示のごとく、配置カテゴリ欄２３０、補正値欄２３２が含まれている。第２導出部４８は、配置カテゴリ欄２３０の配置カテゴリに対応した補正値を補正値欄２３２から抽出する。図２に戻る。
【００２９】
第２導出部４８は、音量の基準値を予め規定する。ここでは、基準値を「５」とする。なお、音量の基準値「５」は、記憶部３６に記憶される際のコンテンツデータの音量に相当する。また、値が大きくなるほど、音量も大きくなるとする。第２導出部４８は、密集度に対する補正値（以下、「第１補正値」という）にて基準値を補正する。また、第２導出部４８は、コンテンツデータのカテゴリに対する補正値（以下、「第２補正値」という）にて基準値を補正する。第２導出部４８は、ディスプレイのサイズに対する補正値（以下、「第３補正値」という）にて基準値を補正する。さらに、第２導出部４８は、配置カテゴリに対応した補正値（以下、「第４補正値」という）にて基準値を補正する。第２導出部４８は、これらの補正結果を加算することによって、コンテンツデータを再生する際の音量を再生装置１０単位に導出する。
【００３０】
つまり、音量は、次のように導出される。
音量＝（基準値＋第１補正値）＋（基準値＋第２補正値）＋（基準値＋第３補正値）＋（基準値＋第４補正値）
なお、音量は、次のように導出されてもよい。
音量＝（基準値＋第１補正値）×（基準値＋第２補正値）×（基準値＋第３補正値）×（基準値＋第４補正値）
第２導出部４８は、１０を最大値として音量を正規化してもよい。前者の場合では、音量を１／２にすることに相当する。なお、リストに含まれる複数のコンテンツデータが、異なったカテゴリである場合、第２導出部４８は、コンテンツデータごとに音量を導出してもよいし、最も音量の小さい値や大きい値を選択してもよい。第２導出部４８は、導出した音量を通信部５４へ出力する。
【００３１】
また、第２導出部４８は、受けつけたデータをテーブル形式で記憶部３６に記憶させる。図７は、記憶部３６に記憶されたさらに別のテーブルのデータ構造を示す。図示のごとく、再生装置欄２４０、設置位置欄２４２、配置カテゴリ欄２４４、密集度欄２４６、コンテンツカテゴリ欄２４８が示されている。再生装置欄２４０には、各再生装置１０を識別するための情報が示されており、各再生装置１０に対する配置位置、配置カテゴリ、密集度、コンテンツカテゴリが、設置位置欄２４２、配置カテゴリ欄２４４、密集度欄２４６、コンテンツカテゴリ欄２４８に示されている。図２に戻る。
【００３２】
通信部５４は、アンテナ５６を介して、図示しない再生装置１０との間で無線通信を実行する。通信部５４は、例えば、ＩＥＥＥ８０２．１１等の規格に準拠した無線ＬＡＮ（Ｌｏｃａｌ  Ａｒｅａ  Ｎｅｔｗｏｒｋ）にしたがって、無線通信を実行する。通信部５４は、第２導出部４８、コンテンツ生成部５０、リスト生成部５２からのデータを受けつけ、データを格納するようにパケット信号を生成する。通信部５４は、生成したパケット信号を変調する。変調方式として、ＢＰＳＫ、ＱＰＳＫ、１６ＱＡＭ、６４ＱＡＭ等が規定される。ここで、変調した結果は、周波数領域のＯＦＤＭ信号に相当する。
【００３３】
通信部５４は、変調した結果に対して、ＩＦＦＴ（Ｉｎｖｅｒｓｅ  Ｆａｓｔ  Ｆｏｕｒｉｅｒ  Ｔｒａｎｓｆｏｒｍ）を実行することによって、周波数領域のＯＦＤＭ信号を時間領域のＯＦＤＭ信号へ変換する。通信部５４は、時間領域のＯＦＤＭ信号に対して周波数変換を実行し、無線周波数のパケット信号を生成する。さらに、通信部５４は、無線周波数のパケット信号をアンテナ５６から送信する。なお、通信部５４には、ＰＡ（Ｐｏｗｅｒ  Ａｍｐｌｉｆｉｅｒ）、ミキサ、Ｄ／Ａ変換部も含まれる。パケット信号の送信は、ＩＥＥＥ８０２．１１等の規格に準拠した無線ＬＡＮと同様に、ＣＳＭＡ／ＣＡと呼ばれるアクセス制御機能にしたがってなされる。
【００３４】
通信部５４がコンテンツデータを送信することによって、コンテンツデータは、各再生装置１０にダウンロード送信される。また、通信部５４が、リストを送信することによって、リストによるコンテンツデータの再生が各再生装置１０に指示される。さらに、通信部５４が音量の情報を送信することによって、音量によるコンテンツデータの再生が各再生装置１０に指示される。制御部５８は、サーバ装置１４全体の動作タイミングを制御する。
【００３５】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３６】
図８は、再生装置１０の構成を示す。再生装置１０は、アンテナ７０、通信部７２、コンテンツ受付部７４、リスト受付部７６、音量情報受付部７８、記憶部８０、再生部８２、表示部８４、スピーカ８６、制御部８８を含む。
【００３７】
通信部７２は、アンテナ７０を介して、図示しないサーバ装置１４との間で無線通信を実行する。通信部７２も、通信部５４と同様に、例えば、ＩＥＥＥ８０２．１１等の規格に準拠した無線ＬＡＮに対応する。通信部７２は、図示しないサーバ装置１４から送信されたパケット信号をアンテナ７０にて受信する。通信部７２は、アンテナ７０を介して受信した無線周波数のパケット信号に対して周波数変換を実行し、時間領域のＯＦＤＭ信号を生成する。通信部７２は、時間領域のＯＦＤＭ信号に対してＦＦＴを実行することによって、時間領域のＯＦＤＭ信号を周波数領域のＯＦＤＭ信号へ変換する。周波数領域のＯＦＤＭ信号は、複数のサブキャリア信号にて形成される。通信部７２は、周波数領域のＯＦＤＭ信号を復調する。通信部７２は、復調した結果をコンテンツ受付部７４、リスト受付部７６、音量情報受付部７８へ出力する。また、通信部７２には、ＬＮＡ（Ｌｏｗ  Ｎｏｉｓｅ  Ａｍｐｌｉｆｉｅｒ）、ミキサ、ＡＧＣ、Ａ／Ｄ変換部も含まれる。
【００３８】
コンテンツ受付部７４は、通信部７２から受けつけた復調結果のうち、コンテンツデータを抽出し、コンテンツデータを記憶部８０に記憶させる。リスト受付部７６は、通信部７２から受けつけた復調結果のうち、リストを抽出し、リストを記憶部８０に記憶させる。音量情報受付部７８は、通信部７２から受けつけた複数結果のうち、音量情報を抽出し、音量情報を記憶部８０に記憶させる。記憶部８０は、ハードディスク等の記憶媒体であり、コンテンツデータ、リスト、音量情報とを記憶する。再生部８２は、リストに示された複数のコンテンツデータの順序にしたがって、コンテンツデータを再生する。再生部８２は、再生したコンテンツデータの動画像を表示部８４に出力し、再生したコンテンツデータの音声をスピーカ８６に出力する。その際、再生部８２は、音量情報に対応した音量にて、音声の音量を調節する。制御部８８は、再生装置１０全体の動作を制御する。
【００３９】
以上の構成による再生システム１００の動作を説明する。コンテンツデータは、再生システム１００において規定される基準音量レベルに変換され、サーバ装置１４に登録される。サーバ装置１４は、再生装置１０の設置場所、密集度、コンテンツデータのカテゴリに応じて、基準音量レベルを補正するための補正値を導出する。サーバ装置１４は、補正値によって基準音量レベルを補正する。サーバ装置１４は、コンテンツデータを再生装置１０にダウンロードさせる。また、サーバ装置１４は、リストおよび音量情報を再生装置１０へ送信する。再生装置１０は、リストに応じた順序によってコンテンツデータを再生する。その際、再生装置１０は、音量情報に応じて音量を設定する。
【００４０】
本発明の実施例によれば、再生装置の密集度に応じて音量の補正値を決定するので、再生装置が密集するほど音量を小さくできる。また、再生装置が密集するほど音量が小さくされるので、音声の干渉を低減できる。また、再生装置が密集しなければ音量が大きくされるので、音声を聞きやすくできる。また、再生装置の密集度に応じて音量の大きさを調節するので、複数の再生装置を設置した位置に適するように音量を調節できる。また、再生装置で再生させるべきコンテンツデータのカテゴリに応じて音量を調節するので、コンテンツデータの内容に適した音量を設定できる。また、コンテンツデータを表示すべきディスプレイのサイズに応じて音量を調節するので、ディスプレイのサイズに適した音量を調節できる。
【００４１】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４２】
本発明の実施例において、第２導出部４８は、再生装置１０の密集度とコンテンツデータのカテゴリとをもとに、音量を決定する。しかしながらこれに限らず例えば、第２導出部４８は、近接したふたつの再生装置１０において、重複したタイミングにて、同一のコンテンツデータを再生させる場合、一方の再生装置１０に対する音量をオフにすることを決定してもよい。また、重複したタイミングにて、同一のコンテンツデータを再生させる再生装置１０が３つ以上存在する場合、第２導出部４８は、ひとつの再生装置１０に対する音量をオフにすることを決定してもよく、ふたつ以上の再生装置１０に対する音量をオフにすることを決定してもよい。さらに後者の場合、ひとつの再生装置１０だけが音声を主力してもよい。本変形例によれば、音声の干渉を低減できる。
【符号の説明】
【００４３】
１０  再生装置、  １４  サーバ装置、  １６  棚、  １８  店舗、  ３０  表示部、  ３２  受付部、  ３４  処理部、  ３６  記憶部、  ３８  第１取得部、  ４０  第１導出部、  ４２  第２取得部、  ４４  第３取得部、  ４６  第４取得部、  ４８  第２導出部、  ５０  コンテンツ生成部、  ５２  リスト生成部、  ５４  通信部、  ５６  アンテナ、  ５８  制御部、  ７０  アンテナ、  ７２  通信部、  ７４  コンテンツ受付部、  ７６  リスト受付部、  ７８  音量情報受付部、  ８０  記憶部、  ８２  再生部、  ８４  表示部、  ８６  スピーカ、  ８８  制御部、  １００  再生システム。
【図１】
2011253235.tif 000003
【図２】
2011253235.tif 000004
【図３】
2011253235.tif 000005
【図４】
2011253235.tif 000006
【図５】
2011253235.tif 000007
【図６】
2011253235.tif 000008
【図７】
2011253235.tif 000009
【図８】
2011253235.tif 000010